(57)【要約】【課題】可変空間の内部に間仕切壁を設置する際の自由度を高くする。【解決手段】建物の内部に構成され、間仕切を有することのない単体の空間、又は構造体及び又は設備配管，配線を有することのない間仕切壁によって区分された連続する空間からなる可変空間Ａの外郭を規定する外郭壁Ｂに幅寸法が約５０ｃｍ乃至約１００ｃｍの窓１１を複数配置する。外郭壁Ｂに設備配管，配線を設置すると共に選択された窓１１の投影面内又は該投影面の近傍にコンセント１３ａ〜１３ｃ、スイッチ１４、アウトレット１５ａ，１５ｂ及び空調吹出口３５ａを選択的に配置する。選択された窓１１の間隔を約１８０ｃｍ乃至約２００ｃｍの範囲に設定する。【選択図】      図１
2004339880.tif 000002
【特許請求の範囲】
【請求項１】
建物の内部に構成され、間仕切を有することのない単体の空間、又は構造体及び又は設備配管，配線を有することのない間仕切壁によって区分された連続する空間からなる可変空間であって、前記可変空間の外郭を規定する外郭壁に幅寸法が約５０ｃｍ乃至約１００ｃｍの窓を複数配置することを特徴とする可変空間の構造。
【請求項２】
前記外郭壁に設備配管，配線を設置すると共に該外郭壁に於ける選択された窓の投影面内又は該投影面の近傍に設備配管，配線の取出手段及び空調吹出口を選択的に配置したことを特徴とする請求項１に記載した可変空間の構造。
【請求項３】
前記外郭壁に配置され且つ選択された窓の間隔が約１８０ｃｍ乃至約２００ｃｍの範囲にあることを特徴とする請求項２に記載した可変空間の構造。
【請求項４】
前記外郭壁に於ける窓の配置位置に、一対の縦枠材に一対の横窓枠材を取り付けると共に該横窓枠材と縦枠材からなる開口部に幅寸法が約５０ｃｍ乃至約１００ｃｍの窓を配置し、該窓の上部又は下部に設備配管，配線と接続される取出手段及び空調吹出口を選択的に配置した窓ユニットを設けたことを特徴とする請求項１乃至３の何れかに記載した可変空間の構造。
【請求項５】
一対の縦枠材に一対の横窓枠材を取り付けると共に該横窓枠材と縦枠材からなる開口部に請求項１に記載した窓を配置し、該窓の上部又は下部に設備配管，配線と接続される取出手段及び空調吹出口を選択的に配置したことを特徴とする窓ユニット。
【請求項６】
建物の内部に、間仕切を有することのない単体の空間、又は構造体及び又は設備配管，配線を有することのない間仕切壁によって区分された連続する空間からなる可変空間を構築するに際し、前記可変空間の外郭を規定する外郭壁に設備配管，配線を設置すると共に幅寸法が約５０ｃｍ乃至約１００ｃｍの窓を略等間隔に配置し、且つ前記窓から選択された窓に対し該窓の投影面内又は該投影面の近傍に設備配管，配線の取出手段及び空調吹出口を選択的に配置し、更に、前記外郭壁から選択的に間仕切壁を配置することを特徴とする可変空間の構築方法。
【請求項７】
前記外郭壁に配置され且つ選択された窓の間隔が約１８０ｃｍ乃至約２００ｃｍの範囲にあることを特徴とする請求項６に記載した可変空間の構築方法。
【発明の詳細な説明】
【０００１】
【発明の属する技術分野】
本発明は、間仕切壁を設置することによって所望の広さの空間を構成することを可能とした可変空間の構造と、この可変空間を構成する際に用いて有利な窓ユニットと、この可変空間を構築する際に有利な構築方法とに関するものである。
【０００２】
【従来の技術】
日本の住宅業界にあっては、建物の耐用年数を現状の平均３０年弱から５０年〜６０年に引き上げようという取り組みがなされている。このような住宅では、経時的に変化する居住者の年齢構成や人数に対して対応してゆくことが好ましいこととなる。即ち、居住者の年齢構成の変化や人数の変化に応じて屋内の間取りや個々の部屋の広さを高い自由度を持って変化させ得ることが必要となる。
【０００３】
上記の如く間取りの自由度を高くするために、建物内をコアゾーンと居室ゾーンとに分割しておき、コアゾーンには玄関や廊下、便所、浴室等の機能を変更することが困難な単位空間を配置し、居室ゾーンには居間や食堂、客間、寝室、子供部屋等の機能を変更することが容易な単位空間を配置することによって、居住者の年齢構成や人数が変化したとき、このの変化に対応させて居室ゾーンを容易に変更し得るような住宅が提案されている（例えば特許文献１参照）。
【０００４】
上記住宅では、居室ゾーンの内部に耐震要素のような構造物を設置することなく、所要の強度を発揮し得るように構成されている。従って、居室ゾーンの内部に於ける如何なる位置であっても、強度に対する影響を考慮することなく間仕切壁を設置することが可能となり、高い間取りの自由度を発揮させることが可能となる。
【０００５】
また建物の外壁に出窓を設け、この出窓を多目的に利用する技術が提案されている。この技術は、例えば出窓の左右方向の側部の一方に収納棚を設けると共に該収納棚の近傍にコンセントを設けたり、膳板の下方に収納庫を設けたり、天板の下面にハンガーレールを設けたりすることによって、ドレッサーとしての機能や収納庫としての機能、或いは物干しとしての機能を発揮させることが可能なように構成されている（例えば特許文献２参照）。
【０００６】
またオフィス等の広い空間では、多数のデスクが配置され、個々のデスクで電力や電話，コンピュータを利用するのが一般的であり、このような空間に用いるために電力ケーブルや電話・情報ケーブルを配線する際に用いるダクトも提案されている（例えば特許文献３参照）。
【０００７】
【特許文献１】
特開平１１−２２３０３０号公報
【特許文献２】
特開平１０−３１１１８２号公報
【特許文献３】
特開平０９−０４６８５２号公報
【０００８】
【発明が解決しようとする課題】
特許文献１に記載された住宅は、設定された居住ゾーンの内部に時々の居住者の年齢構成や人数等の条件に応じて間仕切壁を設置することで、優れた機能性を発揮することが可能であり、長期間使用する際に自由度が極めて高い住宅として構成されているが、全く問題がないわけでもない。即ち、間仕切壁の位置を設定する場合、外壁に配置された窓を含む開口部の位置と幅寸法による規制を受けざるを得ないという問題がある。
【０００９】
また特許文献２に記載された出窓は、コンセントが設けられるものではあるものの、屋内に形成された空間との関係とは記載されてなく、単に出窓のユニットとしての構成が記載されているにすぎない。
【００１０】
特許文献３に記載された技術は、広い空間に合理的にケーブル配線を行う際に用いて有利な道具が記載されているにすぎない。
【００１１】
本発明の目的は、特許文献１に記載された技術をより発展させたものであり、内部に間仕切壁を設置するに際しより自由度の高い可変空間の構造を提供すると共に、該可変空間を構成する際に用いて有利な窓ユニットと、該可変空間を構築する際の方法とを提供することにある。
【００１２】
【課題を解決するための手段】
上記課題を解決するために本発明に係る可変空間の構造は、建物の内部に構成され、間仕切を有することのない単体の空間、又は構造体及び又は設備配管，配線を有することのない間仕切壁によって区分された連続する空間からなる可変空間であって、前記可変空間の外郭を規定する外郭壁に幅寸法が約５０ｃｍ乃至約１００ｃｍの窓を複数配置されるものである。
【００１３】
上記可変空間の構造では、建物の内部に形成された、間仕切を有しない単体の空間、例えば耐震壁やブレース等の構造体、給排水配管や給湯配管或いはガス配管等の設備配管、電力線、電話線を含む情報配線等の配線、の何れも有することのない間仕切壁によって区分された連続した空間等の空間からなる可変空間を規定する外郭壁に幅寸法が約５０ｃｍ〜約１００ｃｍの窓を複数配置することによって、間取りの自由度の高い可変空間とすることが出来る。
【００１４】
即ち、窓の横幅が約５０ｃｍ〜約１００ｃｍであるため、この窓を回避した位置に間仕切壁を設置したとき、該間仕切壁の最小間隔が約５０ｃｍ〜約１００ｃｍとなる。従って、前記寸法以上の間隔を持った間仕切壁によって部屋を構成することで、構成された個々の部屋に必ず１個の窓を配置することが出来る。
【００１５】
上記構造に於いて、外郭壁に設備配管，配線を設置すると共に該外郭壁に於ける選択された窓の投影面内又は該投影面の近傍に設備配管，配線の取出手段及び空調吹出口を選択的に配置することが好ましい。このように、外郭壁に配置した窓の中から選択された窓に対し、該窓の投影面内或いはその近傍に設備配管，配線の取出手段、空調吹出口を選択的に設けることで、間仕切壁によって構成され且つ１個の窓を有する小部屋に対し、必ず設備配管，配線の取出手段、空調吹出口を選択的に配置することが出来る。
【００１６】
また上記構造に於ける外郭壁に配置され且つ選択された窓の間隔が約１８０ｃｍ乃至約２００ｃｍの範囲にあることが好ましい。ここで、窓の間隔とは、窓の幅方向の中心の間隔（取付ピッチ）をいうものとする。このような可変空間の構造とすることによって、間仕切壁によって構成された部屋の幅が約１８０ｃｍであっても、必ず１個の窓と、設備配管，配線の取出手段、空調吹出口を選択的に配置することが出来る。
【００１７】
上記構造では、可変空間に間仕切壁を設置する場合、この間仕切壁の最小間隔を約１８０ｃｍ〜約２００ｃｍに設定することが可能であり、この寸法で間仕切壁を設置することによって、各部屋毎に少なくとも１個の窓を配置すると共に、設備配管，配線の取出手段、空調吹出口を選択的に配置することが出来る。従って、通常構成される最小幅の部屋であっても、必ず１個の窓と、設備配管，配線の取出手段、空調吹出口を配置することが出来る。
【００１８】
また上記各構造に於いて、外郭壁に於ける窓の配置位置に、一対の縦枠材に一対の横窓枠材を取り付けると共に該横窓枠材と縦枠材からなる開口部に幅寸法が約５０ｃｍ乃至約１００ｃｍの窓を配置し、該窓の上部又は下部に設備配管，配線と接続される取出手段及び空調吹出口を選択的に配置した窓ユニットを設けることが好ましい。
【００１９】
上記可変空間の構造では、躯体に対し、窓を設置するべき位置に対応して窓ユニットを配置すると共に縦枠材を上下に配置された梁に接続することで、窓の設置と、該窓の投影面或いはその近傍に設備配管，配線の取出手段、或いは空調吹出口を選択的に設置することが出来る。
【００２０】
また本発明に係る窓ユニットは、一対の縦枠材に一対の横窓枠材を取り付けると共に該横窓枠材と縦枠材からなる開口部に請求項１に記載した窓を配置し、該窓の上部又は下部に設備配管，配線と接続される取出手段及び空調吹出口を選択的に配置したものである。この窓ユニットを利用することによって、外郭壁を容易に構成することが出来る。
【００２１】
また本発明に係る可変空間の構築方法は、建物の内部に、間仕切を有することのない単体の空間、又は構造体及び又は設備配管，配線を有することのない間仕切壁によって区分された連続する空間からなる可変空間を構築するに際し、前記可変空間の外郭を規定する外郭壁に設備配管，配線を設置すると共に幅寸法が約５０ｃｍ乃至約１００ｃｍの窓を略等間隔に配置し、且つ前記窓から選択された窓に対し該窓の投影面内又は該投影面の近傍に設備配管，配線の取出手段及び空調吹出口を選択的に配置し、更に、前記外郭壁から選択的に間仕切壁を配置することを特徴とするものである。
【００２２】
上記可変空間の構築方法では、可変空間を規定する外郭壁に設備配管，配線を設置し、且つ幅が約５０ｃｍ〜約１００ｃｍの窓を複数配置すると共に、前記複数の窓の中から選択された窓に設備配管，配線の取出手段、空調吹出口を選択的に配置し、更に、外郭壁から選択的に間仕切壁を配置することによって、窓と窓の間に所望の間隔で間仕切壁を設置しても、これらの間仕切壁の間に必ず窓を配置することが出来る。このため、構成された部屋に対する採光を確保することが出来る。
【００２３】
上記構築方法に於いて、外郭壁に配置され且つ選択された窓の間隔が約１８０ｃｍ乃至約２００ｃｍの範囲にあることが好ましい。可変空間の構築方法をこのようにすることによって、間仕切壁によって構成された部屋が、通常の部屋の最小寸法である約１８０ｃｍとしても、必ず１個の窓と、設備配管，配線の取出手段、空調吹出口を選択的に配置することが出来る。
【００２４】
【発明の実施の形態】
以下、本発明に係る可変空間の好ましい実施形態を説明すると共に窓ユニット，可変空間の構築方法の好ましい実施形態について説明する。本発明は建物の内部に構成された間仕切を有することのない空間、或いは構造体や設備配管，配線を有することのない間仕切壁によって区分された空間、等の面積の大きい空間であって、所望の位置に間仕切壁を設置することで複数の小空間（例えば居室）に区分し、且つこの間仕切壁を撤去することで、面積の大きい空間に復帰させることを可能とした可変空間に関するものである。
【００２５】
特に、窓を回避した所望の位置に間仕切壁を設置することで、該可変空間を所望の面積の居室に区分したとき、個々の居室に必ず１個の窓を配置すると共に、設備配管，配線の取出手段及び空調吹出口を選択的に配置し得るように構成したものである。
【００２６】
従って、目的の住宅の建築後の時間の経過に伴って、該住宅に居住する居住者の年齢構成や人数等（家族構成）が変化したとき、この変化に伴う居室の数や広さの変化に対し、間仕切壁の位置を変更することで対応することが可能である。
【００２７】
本発明に於いて、可変空間の面積を限定するものではなく、目的の建物に於ける１階層の全床面を可変空間として設定することが可能であり、或いは、便所，洗面所，浴室，吹き抜け等の特定の機能を有し且つ設置位置の変更を行わない空間（コア空間）を除外した床面を可変空間として設定することが可能である。また階段や廊下の場合、これらに必要な空間をコア空間として可変空間から除外する必要はなく、該可変空間の内部に取り込むことが可能である。しかし、廊下や階段をコア空間として可変空間から除外しても良いことは当然である。
【００２８】
従って、目的の建物に於ける１階層の全床面が可変空間として設定されている場合、該可変空間の外郭を規定する外郭壁は建物の外壁によって構成される。また可変空間がコア空間を除外した床面として設定されている場合、該可変空間の外郭を規定する外郭壁は、建物の外壁の一部とコア空間との境界に設置された境界壁とによって構成される。このため、本発明に於ける窓を配置する外郭壁は、建物の外壁、及び建物の内部に設置されるコア空間との境界壁を含む。
【００２９】
可変空間の内部に間仕切壁を設置して構成される居室は、充分な採光を確保することが好ましい。従って、可変空間の外郭を規定する外郭壁に於ける外壁には窓を配置することが好ましく、境界壁には必ずしも窓を配置する必要はない。また外郭壁を構成する外壁であっても、該外壁の向きや機能によっては窓を配置しないことが好ましい場合もある。
【００３０】
即ち、本発明に於いて、外郭壁の全ての面に同じように窓を配置することは必ずしも必要ではなく、外郭壁の一部には窓を配置しないこともある。そして、外郭壁の一部に窓を配置しないような場合であっても、本発明の範囲から外れるものではない。
【００３１】
本発明に於ける外郭壁に配置される窓は、幅が約５０ｃｍ〜約１００ｃｍである。窓の前記幅は、可変空間を間仕切壁によって区分して居室を構成する場合、居室として機能し得る最小幅と、最小幅を持った居室を構成したときに配置し得る窓の大きさを考慮して設定されたものである。即ち、住宅に於ける居室としての最小幅は約１８０ｃｍであり、これ以下の寸法では居室としての機能を発揮することが困難となるという視点にたって窓の幅を設定したとき、該窓の幅は約５０ｃｍ〜約１００ｃｍであることが最も合理的な寸法である。
【００３２】
特に、窓の幅は、正確に５０ｃｍ〜１００ｃｍである必要はなく、建物に設定されたモジュール寸法に対応させた通常の感覚で約５０ｃｍ〜約１００ｃｍの範囲にあれば充分であり、例えば４５ｃｍ〜１１０ｃｍの範囲であっても良い。
【００３３】
外郭壁に配置される窓は、幅が約５０ｃｍ〜約１００ｃｍであれば良く、縦方向の寸法は特に限定するものではない。このような幅寸法を持つ窓として縦寸法（高さ）が約１２０ｃｍのものや、開閉部の高さが約１２０ｃｍで、該開閉部の下側に転落防止のための約７０ｃｍの開閉不能部を有する窓がある。
【００３４】
また窓を構成する障子の開閉方式も特に限定するものではなく、竪辷り出し窓や横辷り出し窓、或いは引き違い窓であっても良い。しかし、好ましい窓としては、竪辷り出し窓である。
【００３５】
外郭壁に配置される窓の設置間隔は特に限定するものではないが、可変空間の内部に構成される居室の最小幅を約１８０ｃｍとしたとき、この幅寸法と干渉しないような寸法で配置されることが好ましい。即ち、幅が約５０ｃｍの窓である場合には連窓構造として最小幅の居室に対し複数の窓を配置することが可能であり、幅が１００ｃｍの窓である場合には最小幅の居室に対し１つの窓を配置することとなる。
【００３６】
可変空間の内部に間仕切壁を設置して居室を構成する場合、夫々の居室には照明設備や空調設備を設置することが必要であり、且つ電話やＴＶ，コンピュータを利用し得るように構成することが必要である。
【００３７】
このため、建物の内部には空調機に接続される冷媒の配管や電力線を挿通した配管等を含む設備配管、ＴＶ映像用の配線や電話通信用の配線，コンピュータネットワーク配線を含む情報配線等の配線が設置される。これらの設備配管，配線は外郭壁の内部に設置され、外郭壁の壁面に取出手段となるコンセントやアウトレットが配置される。
【００３８】
上記の如く、設備配管及び配線を内部に設置するために、外郭壁の厚さ内にはこれらの設備配管及び配線を収容し得る隙間を有することが好ましい。特に、外郭壁が境界壁であるような場合、この境界壁には耐震要素等の構造体が配置されるものの断熱材が配置されることはなく、壁内に充分な隙間を設けることが可能である。しかし、外郭壁が外壁である場合、外壁材と内装材との間に断熱材が配置されることから、充分な隙間を設けることが困難な場合がある。このような場合、断熱材として発泡プラスチック系断熱材を用いると、断熱材の厚みを小さくすることが出来、壁内の隙間を大きくすることが可能となり好ましい。
【００３９】
コンセントやアウトレットは、可変空間を区分して複数の居室を構成したとき、個々の居室毎に設置されることが必要である。また設置された空調機を稼働させた場合、外郭壁に空調された空気を室内に吹き出すための空調吹出口を設けることが必要となる。しかし空調吹出口は必ずしも必要なものではなく、居室に対して選択的に設けることで良い。
【００４０】
本発明では、最小幅の居室であっても、必ず１個の窓を配置することとしている。このため、前記コンセント及びアウトレット或いは空調吹出口を、居室に配置されるべき窓を選択しておき、該窓の投影面内、或いは投影面の近傍に設置することが好ましい。
【００４１】
ここで、窓の投影面内とは、外郭壁に設置した窓の上方及び下方の壁面をいい、投影面の近傍とは窓の縦方向の枠の延長線の外側をいうものとする。
【００４２】
上記の如く、外郭壁に配置された複数の窓の中から幾つかの窓を選択し、選択された窓の投影面内或いはその近傍にコンセント及びアウトレット或いは空調吹出口を設置することで、可変空間を区分して居室を構成したときに、該居室に窓を配置すると同時にコンセント及びアウトレット或いは空調吹出口を配置することが可能である。
【００４３】
上記コンセントの数やアウトレットの数は特に限定するものではなく、予め居室で利用する機器類を想定しておき、これらの機器類を駆動するのに必要な設備配管や配線を外郭壁内に設置すると共に、窓の投影面内或いはその近傍に充分な数のコンセント，アウトレットを設置することが好ましい。
【００４４】
外郭壁に配置された窓の中からコンセント及びアウトレット或いは空調吹出口を設ける窓を選択する場合、可変空間を区分して構成する居室の最小幅を設定しておき、この居室の幅に対応させて選択することが好ましい。即ち、居室として機能するのに必要な最小寸法を例えばベッドを設置し、且つ該ベッドの横に通路を確保し得る寸法とした場合、約１８０ｃｍ〜約２００ｃｍの寸法が必要となる。
【００４５】
従って、外郭壁に配置された複数の窓の中から、約１８０ｃｍ〜約２００ｃｍの間隔を持った窓を選択し、これらの選択された窓にコンセント及びアウトレット或いは空調吹出口を設けておくことで、可変空間を間仕切壁によって区分して複数の居室を構成する際に、居室の幅を１８０ｃｍ以上に設定することによって、区分された各居室に夫々少なくとも１個の窓を配置することが可能であり、且つコンセント及びアウトレット或いは空調吹出口を設けることが可能となる。
【００４６】
尚、上記した選択された窓の間隔が約１８０ｃｍ〜約２００ｃｍであることは、あくまでも窓と窓の中心間の寸法である。即ち、二方向の外郭壁が交差する可変空間のコーナー部に配置されている窓と外郭壁との間隔は、前記寸法に限定するものではなく、目的の建物の形状や外郭壁の一辺の寸法に応じて自由に設定することが可能である。例えば、外郭壁の一辺に於いて、該外郭壁の一方側の端部と交差する一方側の外郭壁から選択された窓までの間隔を約２７０ｃｍとし、その後、選択された窓相互の間隔を約１８０ｃｍ〜約２００ｃｍに設定し、更に、外郭壁の他方の端部と交差する他方側の外郭壁と選択された窓との間隔を約９０ｃｍに設定することが可能である。
【００４７】
また可変空間を規定する外郭壁に該可変空間と外部空間（必ずしも建物の外部を意味せず、可変空間と隣接するコア空間を含む）との出入口が形成される場合、この出入口は窓には含まない。
【００４８】
外郭壁に配置され且つ選択された窓の投影面内、或いはその近傍にコンセント及びアウトレット或いは空調吹出口を選択的に設ける場合、これらのコンセントやアウトレット，空調吹出口を夫々独立した状態で外郭壁の壁面に取り付けることが可能である。しかし、窓と予め選択されたコンセント，アウトレット，空調吹出口を１台のパネルに取り付けてユニット化しておくことが好ましい。
【００４９】
上記の如く、窓と、該窓の上下或いは側部に配置したコンセントやアウトレット，空調吹出口と、を取り付けた窓ユニットを用いることで、外郭壁に於ける予め設定された位置に窓及びコンセントやアウトレット，空調吹出口を設ける際の作業を容易に行うことが可能となり、施工性が極めて容易になる。
【００５０】
窓ユニットは、外郭壁の上下に配置された梁の縦方向に設置される左右一対の縦枠材と、この縦枠材の所定位置に配置された一対の横枠材と、からなる窓パネルを有し、予め前記窓パネルに於ける縦枠材と横枠材とによって構成された部分に窓を嵌め込むと共に、該窓の上方，下方或いは側部にコンセントやアウトレット或いは空調吹出口を取り付けて構成されることが好ましい。
【００５１】
そして上記窓ユニットを工場段階で製造しておくことで、建築現場では、搬入された窓ユニットを、外郭壁に対応した梁間に予め設定された間隔を持って配置し、縦枠材の上下両端を夫々天井側の梁，床側の梁に固定することで、窓，コンセント，アウトレット，空調吹出口を一度の作業で設置することが可能となる。
【００５２】
コンセントやアウトレットは、夫々市販されているものを利用することが可能である。しかし、予め所定数のコンセントとアウトレットを配置したボードを構成しておき、このボードを窓パネルを構成する横枠材、或いは縦枠材に取り付けるようにすることが好ましく、ボードの一部に空調吹出口を設けることが可能なように構成しておくことがより好ましい。
【００５３】
次に、本発明に係る可変空間の構造の好ましい実施例について図を用いて説明する。図１は住宅の２階に構成した可変空間の構成を説明する図である。図２は窓とコンセントやアウトレットとの位置関係を模式的に説明する図である。図３は可変空間を区分して複数の居室を構成した例を示す図である。図４は区分された居室を照明する構造の例を説明する図である。図５は外郭壁に窓ユニットを配置したときの構成を模式的に説明する図である。図６は窓ユニットの構成を説明する図である。
【００５４】
図１は建物に設定された可変空間Ａの例を説明するものであり、建物に於けるある階層の全部の床面１を利用して可変空間Ａを構成したものである。図に示すように、建物に於ける所定の階層（例えば２階）には、階段２と１階との吹き抜け３が形成されており、床面１は、外壁４（４ａ〜４ｄ）の一部（４ｂ〜４ｄ）と、吹き抜け３を規定する仕切５とによって構成されている。
【００５５】
また吹き抜け３に面した外壁４ａの外部にはベランダ６が設けられており、この外壁４ａに於ける吹き抜け３との境に採光用の大窓７と、ベランダ６との出入口８が夫々設けられている。
【００５６】
上記構成に於いて、階段２は位置を変更し得ないながら可変空間Ａの内部に取り込まれており、吹き抜け３はコア空間として可変空間Ａから除外される。従って、可変空間Ａを規定する外郭壁Ｂは建物の外壁４（４ａ，４ｂの一部及び４ｃ，４ｄ）と仕切５とによって構成されている（以下、外郭壁Ｂ又は外郭壁４ｂ〜４ｄ，５の何れかで表現する）。
【００５７】
外郭壁Ｂを構成する外壁４ａ及び仕切５には窓１１が配置されることがなく、外壁４ｂ〜４ｄに相互の間隔を１８３０ｍｍに設定した複数の窓１１が配置されている。特に、外壁４ｂ，４ｃには３個の窓１１が配置され、外壁４ｄには４個の窓１１が配置されている。
【００５８】
上記の如く、本実施例では、窓１１は相互の間隔が１８３０ｍｍ、即ち、約１８０ｃｍ〜約２００ｃｍの範囲内の寸法を有しており、全ての窓１１が選択された窓として機能する。例えば、隣接する２つの窓１１の間に幅寸法の小さい小窓を配置した場合、この小窓が本発明に於ける選択された窓以外の窓に相当することとなる。
【００５９】
外壁４ｂに於いて、該外壁４ｂの最も外壁４ａ側に位置する窓１１は該外壁４ａとの間隔が２１３５ｍｍに設定されており、最も外壁４ｃ側に位置する窓１１は該外壁４ｃとの間隔が１２２０ｍｍに設定されている。また外壁４ｃでは、最も外壁４ｂ側に位置する窓１１は該外壁４ｂとの間隔が２１３５ｍｍに、外壁４ｄ側に位置する窓１１は該外壁４ｄとの間隔が２４４０ｍｍに設定されている。更に、外壁４ｄでは、外壁４ｃ側に位置する窓１１の該外壁４ｃとの間隔が１２２０ｍｍに、外壁４ａ側に位置する窓１１の該外壁４ａとの間隔が１５２５ｍｍに設定されている。このように、各外壁４ｂ〜４ｄに於ける隣接する他の外壁４ａ〜４ｄに最も接近して配置された窓１１と対応する外壁４ａ〜４ｄとの間隔は、窓１１の相互の間隔寸法とは無関係の寸法に設定されている。
【００６０】
本実施例に於いて、窓１１は竪辷り出し窓として構成されており、図２（ａ）に示すように、幅寸法が４８８ｍｍ（約５０ｃｍ）で高さが１１９６ｍｍに設定された開閉部１１ａを有する竪辷り窓、或いは同図（ｂ）に示すように、幅寸法が４８８ｍｍで高さが１１９６ｍｍの開閉部１１ａと高さが７７９ｍｍの固定部１１ｂとを有する竪辷り窓、等が選択的に用いられている。特に、開閉部１１ａは、下端部の床面１７からの高さが約９０ｃｍ程度に設定されている。
【００６１】
同図（ａ）に示すように、窓１１の左右方向の端部の上方への延長線内（窓１１の投影面内、以下同じ）であって天井１２の近傍には、照明用電源のコンセント１３ａや空調機用電源のコンセント１３ｂが配置されており、また窓１１の左右方向の端部の下方への延長線内（窓１１の投影面内、以下同じ）であって該窓１１に直下には、コンセント１３ａと接続された照明用スイッチ１４、電源用のコンセント１３ｃ、ＴＶ映像用アウトレット１５ａや電話通信用アウトレット１５ｂが配置され、夫々外郭壁Ｂの内装壁１６に取り付けられている。
【００６２】
また同図（ｂ）に示す例では、窓１１の左右方向の端部の上方への延長線内であって天井１２の近傍に照明用電源のコンセント１３ａや空調機用電源のコンセント１３ｂが配置されており、また窓１１の右方向の端部の側面に対応する位置に、コンセント１３ａと接続された照明用スイッチ１４、電源用のコンセント１３ｃ、ＴＶ映像用アウトレット１５ａや電話通信用アウトレット１５ｂが配置され、夫々外郭壁Ｂの内装壁１６に取り付けられている。
【００６３】
上記の如く、窓１１には通常の居室で必要とされる照明用電源のコンセント，空調機用電源のコンセント，ＴＶ用アウトレット，電話通信用アウトレットが配置されている。従って、可変空間Ａには窓１１の数に対応した数の居室を構成しても、これらの個々の居室に対応し得るコンセント及びアウトレットが備えられることになる。
【００６４】
上記の如く窓１１毎に照明用電源のコンセント，空調機用電源のコンセント，ＴＶ用アウトレット，電話通信用アウトレットが配置された可変空間Ａを区分して複数の居室を構成する場合、区分された居室に少なくとも１つの窓１１が配置されていれば、居室としての電源や空調，通信機能を有することとなる。従って、可変空間Ａを区分する際の自由度が極めて高くなる。
【００６５】
図３は可変空間Ａを区分して居室を構成する例である。同図（ａ）は、可変空間Ａを間仕切壁１８によって区分して２つの大きな寝室２１ａ，２１ｂと、大きな共有スペース２２を構成したものである。この場合、寝室２１ａには３個所に窓１１が配置されこれに伴ってコンセント及びアウトレットが配置され、寝室２１ｂには２個所に窓１１が配置されこれに伴ってコンセント及びアウトレットが配置される。また共有スペース２２には４個所に窓１１が配置されこれに伴ってコンセント及びアウトレットが配置される。従って、各寝室２１ａ，２１ｂ及び共有スペース２２共に居室として充分な電源のコンセントと、情報用のアウトレットが配置されることとなる。
【００６６】
同図（ｂ）は、可変空間Ａを間仕切壁１８によって区分することで、１つの大きな寝室２１ａと、３つの寝室２１ｂ，２１ｃを構成したものである。この場合、寝室２１ａには３個所に窓１１が配置されこれに伴ってコンセント及びアウトレットが配置され、寝室２１ｂには２個所に窓１１が配置されこれに伴ってコンセント及びアウトレットが配置され、更に寝室２１ｃには１個所に窓１１が配置されこれに伴ってコンセント及びアウトレットが配置される。従って、各寝室２１ａ，２１ｂ及び共有スペース２２共に居室として充分な電源のコンセントと、情報用のアウトレットが配置されることとなる。
【００６７】
同図（ｃ）は、可変空間Ａを間仕切壁１８によって区分することで、４つの寝室２１ｃと、大きな共有スペース２２を構成したものである。この場合、寝室２１ｃには１個所に窓１１が配置され、これに伴ってコンセント及びアウトレットが配置される。また共有スペース２２には４個所に窓１１が配置されこれに伴ってコンセント及びアウトレットが配置される。従って、各寝室２１ａ，２１ｂ及び共有スペース２２共に居室として充分な電源のコンセントと、情報用のアウトレットが配置されることとなる。
【００６８】
尚、コンセントの性格や数及びアウトレットの性格（機能）や数は上記実施例に限定されるものではなく、居住する居住者の必要性に応じて適宜設定すべきものである。
【００６９】
上記の如く、可変空間Ａの内部を区分するに際し、少なくとも１つの窓１１を取り込んで間仕切壁１８を配置することによって、如何様にも間取りを構成することが可能となる。このため、極めて自由度の高い可変空間Ａとすることが可能である。
【００７０】
特に、通常居室としての機能を発揮する最小幅は約１８０ｃｍ程度である。このため、本実施例に於ける窓１１の相互の間隔が１８３０ｍｍであることから、最小幅の居室を構成する場合であっても、少なくとも１つの窓１１を取り込むことが可能となり、このような居室でも、居室として充分な電源用のコンセント及びＴＶ用アウトレット，通信用アウトレットを確保することが可能である。
【００７１】
上記の如くして構成された寝室２１ａ〜２１ｃ、或いは共有スペース２２では、照明用電源のコンセント１３ａは天井１２の近傍に配置される。即ち、照明用の電源ケーブルは天井１２の内部空間に配線されることがない。このため、図４に示すように、照明器具２５ａを天井１２から吊り下げると共に、電線２５ｂをコンセント１３ａに接続することで照明し得るように構成している。
【００７２】
特に、大きい寝室２１ａや大きい共有スペース２２のように、居室の面積が大きい場合、天井１２に着脱可能なケーブルラック２６を取り付けると共に、該ケーブルラック２６に電線２５ｂを接続し得るように構成しても良い。この場合、電線２５ｂの長さに関わらず、居室に於ける照明器具２５ａの位置を設定することが可能である。
【００７３】
図５は、図２に対応するものであり、窓１１の上部及び下部に設けるコンセント１３ａ〜１３ｃ、スイッチ１４、アウトレット１５ａ，１５ｂをユニットとして構成する例を示すものである。
【００７４】
同図（ａ），（ｂ）に於いて、上部ユニット３１は窓１１の上部投影面内に配置される照明用電源のコンセント，空調用電源のコンセントを有する箱状に形成されており、内装壁１６に取り付けられている。また下部ユニット３２は窓１１の下部投影面内に配置される電源のコンセントや照明用のスイッチ、及びＴＶ用アウトレット，通信用アウトレットを有する箱状に形成されており、この箱を内装壁１６に取り付けられている。
【００７５】
上記の如き窓ユニットＣの具体的な構成について図６により説明する。図に於いて、窓ユニットＣは、図示しない上部梁，下部梁に到達する長さを持った一対の縦枠材４１ａと、予め設定された窓１１の取付位置に対応して設けた一対の横枠材４１ｂと、上部ユニット３１を取り付けるための横枠材４１ｃと、を有しており、縦枠材４１ａの間隔や横枠材４１ｂ相互の間隔を窓１１の寸法に対応させて配置し、更に、横枠材４１ｃを上部ユニット３１の位置に対応させて配置すると共に互いの交差部を溶接することで梯子状に構成された枠体４１を有している。
【００７６】
本実施例では、下部ユニット３２は窓１１を取り付けるための横枠材４１ｂを共用しているため、特別な横枠材を配置していないが、下部ユニット３２を窓１１の下方であって該窓１１から離隔した位置に取り付ける場合には、下部ユニット３２のための横枠材が必要となる。
【００７７】
縦枠材４１ａ，横枠材４２ｂ，４２ｃの構成については特に限定するものではないが、市販されている山形鋼やリップ溝形鋼等の規格鋼材を用いることが好ましい。
【００７８】
上部ユニット３１はボックス３１ａを有しており、このボックス３１ａに、照明用電源のコンセント１３ａ，空調用電源のコンセント１３ｂに加えて、照明器具３３ａと照明器具スイッチセンサー受信器３３ｂ、強制換気用のファンを備えた給排気口３４ａと給排気用センサー３４ｂが配置されており、窓ユニットＣを上下の梁に固定したとき、機器類の表面が内装面１６と略同一面となるようにボックス３１ａが横枠材４２ｃに取り付けられている。
【００７９】
下部ユニット３２はボックス３２ａを有しており、このボックス３２ａに、複数の電源用のコンセント１３ｃ、上部ユニット３１に配置された照明器具３３ａや給排気口３４ａに設けたファンを操作するためのスイッチ類を有するスイッチ１４、ＴＶ映像用アウトレット１５ａ，電話通信用アウトレット１５ｂ，インターネット通信用アウトレット１５ｃ、空調機からの通気管等が接続された空調吹出口３５ａと空調機を操作するスイッチ類３５ｂが配置されており、窓ユニットＣを上下の梁に固定したとき、機器類の表面が内装面１６と略同一面となるようにボックス３２ａが横枠材４２ｃに取り付けられている。
【００８０】
上記の如く構成された窓ユニットＣでは、予め工場段階で枠体４１に窓１１、上部ユニット３１及び下部ユニット３２を取り付けて窓ユニットＣを構成しておき、この窓ユニットＣを建築現場に搬入した後、予め設定された位置に配置して縦枠材４１を躯体に固定することで、可変空間Ａを規定する外郭壁Ｂを構成することが可能である。
【００８１】
従って、躯体に窓ユニットＣを取り付けた段階で、設備配管を伴う電気配線や情報配線を行うことが可能であり、更に、空調機と空調吹出口との間の配管等を行うことが可能である。このため、配管，配線作業を連続して行うことが可能となり、工程の進行も円滑に行うことが可能となる。
【００８２】
次に、上記可変空間Ａを構成する手順について説明する。先ず、可変空間Ａの外郭を規定する外郭壁Ｂに複数の窓１１を配置する。その後、外郭壁に沿って配置された窓１１から、相互の間隔が１８０ｃｍ〜２００ｃｍの範囲の中から予め設定された寸法の間隔を有する窓１１を選択し、選択された窓１１の上部投影面内，下部投影面内、或いは投影面の近傍に、コンセント１３ａ〜１３ｃ、スイッチ１４、アウトレット１５ａ，１５ｂを配置する。
【００８３】
コンセント１３ａ〜１３ｃ、スイッチ１４、アウトレット１５ａ，１５ｂを配置した後、或いはこれらの配置に先立って、外郭壁Ｂの内部に設備配管，配線を行う。そして、外郭壁Ｂに対する設備配管，配線が終了し、且つコンセント１３ａ〜１３ｃ、スイッチ１４、アウトレット１５ａ，１５Ｂの配置が終了した後、両者を接続し、更に、可変空間Ａの内部に間仕切壁１８を配置することで、目的に応じた複数の居室２１ａ〜２１ｃ，２２を構成することが可能である。
【００８４】
特に窓ユニットＣを利用する場合には、工場から搬入された窓ユニットＣを１８０ｃｍ〜２００ｃｍの範囲内に於ける予め設定された間隔を持って外郭壁Ｂに配置し、枠体４１を躯体に固定することで、窓１１を配置する同時に、該窓１１の投影面内にコンセント１３ａ〜１３ｃ、スイッチ１４、アウトレット１５ａ〜１５ｃ、照明器具３３ａ、給排気口３４ａ、空調吹出口３５ａを配置することが可能である。
【００８５】
窓ユニットｃを配置した後、或いは窓ユニットＣの配置に先立って、外郭壁Ｂの内部に設備配管，配線を設置し、これらの設備配管，配線とコンセント１３ａ〜１３ｃ、スイッチ１４、アウトレット１５ａ〜１５ｃ、照明器具３３ａ、給排気口３４ａ、空調吹出口３５ａを接続する。その後、更に可変空間Ａの内部に間仕切壁１８を配置することで、目的に応じた複数の居室２１ａ〜２１ｃ，２２を構成することが可能である。
【００８６】
【発明の効果】
以上詳細に説明したように本発明に係る可変空間の構造では、可変空間を規定する外郭壁に幅寸法が約５０ｃｍ〜約１００ｃｍの窓を複数配置することによって、この窓を回避した位置に間仕切壁を設置したとき、該間仕切壁の最小間隔は窓の幅寸法よりも大きくなる。従って、窓の幅寸法以上の間隔を持った間仕切壁によって部屋を構成することで、構成された個々の部屋に必ず１個の窓を配置することが出来、採光を確保することが出来る。
【００８７】
また外郭壁に配置した窓の中から選択された窓に対し、該窓の投影面内或いはその近傍に設備配管，配線の取出手段、空調吹出口を選択的に設けることで、間仕切壁によって構成され且つ１個の窓を有する小部屋に対し、必ず設備配管，配線の取出手段、空調吹出口を選択的に配置することが出来る。
【００８８】
また外郭壁に配置され且つ選択された窓の間隔を約１８０ｃｍ乃至約２００ｃｍの範囲に設定することによって、構成された部屋の幅が約１８０ｃｍであっても、必ず１個の窓と、設備配管，配線の取出手段、空調吹出口を選択的に配置することが出来る。
【００８９】
また外郭壁に於ける窓の配置位置に窓ユニットを設けることによって、窓の設置と同時に、該窓の投影面或いはその近傍に設備配管，配線の取出手段、或いは空調吹出口を選択的に設置することが出来る。従って、作業を容易に行うことが出来る。
【００９０】
上記の如く、窓の投影面或いはその近傍に設備配管，配線の取出手段、或いは空調吹出口を選択的に設置することによって、可変空間を大空間として構成した場合であっても、取出手段や空調吹出口が整然と配置されることとなり、見苦しさを軽減して美観の向上をはかることが出来る。
【００９１】
また可変空間の構築方法では、窓と窓の間に所望の間隔で間仕切壁を設置しても、これらの間仕切壁の間に必ず窓を配置することが出来る。このため、構成された部屋に対する採光を確保することが出来る。特に、外郭壁に配置され且つ選択された窓の間隔が約１８０ｃｍ乃至約２００ｃｍの範囲とすることによって、間仕切壁によって構成された部屋が、通常の部屋の最小寸法である約１８０ｃｍとしても、必ず１個の窓と、設備配管，配線の取出手段、空調吹出口を選択的に配置することが出来る。
【図面の簡単な説明】
【図１】住宅の２階に構成した可変空間の構成を説明する図である。
【図２】窓とコンセントやアウトレットとの位置関係を模式的に説明する図である。
【図３】可変空間を区分して複数の居室を構成した例を示す図である。
【図４】区分された居室を照明する構造の例を説明する図である。
【図５】外郭壁に窓ユニットを配置したときの構成を模式的に説明する図である。
【図６】窓ユニットの構成を説明する図である。
【符号の説明】
Ａ                          可変空間
Ｂ                          外郭壁
Ｃ                          窓ユニット
１                          床面
２                          階段
３                          吹き抜け
４，４ａ〜４ｄ              外壁
５                          仕切
６                          ベランダ
７                          大窓
８                          出入口
１１                          窓
１１ａ                        開閉部
１１ｂ                        固定部
１２                          天井
１３ａ〜１３ｃ                  コンセント
１４                          スイッチ
１５ａ                        ＴＶ映像用アウトレット
１５ｂ                        電話通信用アウトレット
１５ｃ                        インターネット通信用アウトレット
１６                          内装壁
１７                          床面
１８                          間仕切壁
２１ａ〜２１ｃ                  寝室
２２                          共有スペース
２５ａ                        照明器具
２５ｂ                        電線
２６                          ケーブルラック
３１                          上部ユニット
３１ａ，３２ａ                  ボックス
３２                          下部ユニット
３３ａ                        照明器具
３３ｂ                        照明器具スイッチセンサー受信器
３４ａ                        給排気口
３４ｂ                        給排気用センサー
３５ａ                        空調吹出口
３５ｂ                        スイッチ類
４１                          枠体
４１ａ                        縦枠材
４１ｂ，４１ｃ                  横枠材
【図１】
2004339880.tif 000003
【図２】
2004339880.tif 000004
【図３】
2004339880.tif 000005
【図４】
2004339880.tif 000006
【図５】
2004339880.tif 000007
【図６】
2004339880.tif 000008